(57)【要約】【課題】本発明はクリーニングできる携帯電話ケースを開示した。【解決手段】携帯電話ケース及び前記携帯電話ケースの中に位置している二つの移動チャンバを含み、二つの前記移動チャンバが互いに垂直に貫通し、前記携帯電話ケースの周囲には四つの回転板が設けられ、前記回転板の中には下端壁と片側端壁とが外部空間に連通している回転溝が設けられ、機械構造の係合により、携帯電話の周囲を囲んで携帯電話を保護することと同時に、携帯電話ケースを取り外すとき完全に平に展開させ、クリーニングするとき、携帯電話ケースのクリーニングしにくいところクリーニングすることに便利であり、クリーニング効果が更に良くなる。【選択図】図１
2020182204.tif 000002
【特許請求の範囲】
【請求項１】
正面視で、携帯電話ケース及び前記携帯電話ケースの中に位置している二つの移動チャンバを含み、二つの前記移動チャンバが互いに垂直に貫通し、前記携帯電話ケースの周囲には四つの回転板が設けられ、前記回転板の中には下端壁と片側端壁とが外部空間に連通している回転溝が設けられ、前記回転溝の中には両端が前記回転溝の端壁と回転できるように連結された回転軸が設けられ、前記移動チャンバの中には二つの一端が前記回転溝の中に位置しており、かつ前記回転軸と回転できるように連結された移動板が設けられ、前記移動チャンバの中に位置している移動板には位置制限板が設けられ、横向きの前記移動板の一端には二つの前記移動チャンバに連通している収納溝が上下に対称的に設けられ、横向きの前記移動板の一端の中には前記移動チャンバに連通している移動溝も設けられ、左側の前記移動溝の上下端壁の中には前記移動溝に連通しているバネ溝が設けられ、前記バネ溝の片側端壁には圧縮バネが設けられ、前記圧縮バネの一端には一端が前記バネ溝の中に位置している台形ロッドが設けられ、前記バネ溝の中に位置している台形ロッドにはロープが設けられ、前記バネ溝の右端壁の中には前記収納溝に連通している平行移動溝が設けられ、前記平行移動溝の中には平行移動板が設けられ、前記平行移動板と前記平行移動溝の端壁との間には伸縮バネが設けられ、前記ロープの一端が前記平行移動溝の端壁を貫通しており、かつ前記平行移動板と連結され、前記移動チャンバの中に位置している縦向きの前記移動板には二つの収納ブロックが設けられ、二つの前記収納ブロックの一端がそれぞれ左右両側の前記収納溝の中に位置しており、前記収納ブロックの一端の中には左方に開口した伸縮溝が設けられ、前記収納溝の右端壁には連結バネが設けられ、前記連結バネの一端には台形ブロックが設けられ、右側の前記移動溝の右端壁には移動バネが設けられ、前記移動バネの左端には左端が左側の前記移動溝の中位置している移動柱が設けられ、右側の前記移動溝の上下端壁の中にはいずれも押し機構が設けられ、左側の前記移動溝の左端壁の中には押し出し機構が設けられ、前記押し出し機構は左側の前記移動溝の左側に位置しており、かつ下方に開口した方向切り替えチャンバを含み、前記方向切り替えチャンバの前後端壁の間には一つの回転軸が回転できるように連結され、前記回転軸には回転歯車が設けられ、前記回転歯車の上端には右端が前記移動溝の中に位置している押し出しロッドが噛合し連結され、前記押し出しロッドの左側には右端面が前記回転歯車と噛合し連結された昇降ロッドが設けられ、前記回転板の上端面には保護カバーが設けられ、その作用は、四つの前記移動板の間の互いの連結制限により、前記回転板に携帯電話の周囲を保護させることであることを特徴とするクリーニングできる携帯電話ケース。
【請求項２】
前記押し機構は右側の横向きの前記移動板の左端に位置しており、かつ左方に開口したバネチャンバを含み、前記バネチャンバの右端壁には前記収納溝に連通している連結溝が設けられ、前記バネチャンバの中にはバネ板が設けられ、前記バネ板の右端には右端が前記連結溝の中に位置している電磁ロッドが設けられ、前記バネ板の右端には右端が前記バネチャンバの右端壁と連結された復帰バネが設けられ、前記連結溝の片側端壁の中には前記移動溝に連通している押し溝が設けられ、前記押し溝の中には一端が前記連結溝の中に位置しており、かつもう一端が前記移動溝の中に位置している電磁ブロックが設けられ、右側の前記移動溝の前後端壁の間には二つの押し軸が回転できるように連結され、前記押し軸には左端が前記電磁ブロックと噛合し連結された押し歯車が設けられ、前記電磁ブロックが、前記電磁ロッドと前記台形ブロックとしりぞけ合っており、前記電磁ロッドと前記台形ブロックとが互いに吸着しており、その作用は、前記移動柱が運動する時に押し歯車により右側の前記台形ブロックを右に運動連動させ、縦向きの前記移動板を移動させることに便利であることを特徴とする請求項１に記載のクリーニングできる携帯電話ケース。
【請求項３】
前記押し出し機構は前記携帯電話ケースの中に位置しており、かつ下方に開口した円溝も含み、前記円溝の中には二つの円板が設けられ、二つの前記円板の間には台形柱によって連結され、前記台形柱の上端が左側の前記移動溝の中に位置しており、前記円溝の両側端壁の中には前記円溝に連通している制限溝が設けられ、前記制限溝の片側端壁には制限バネが設けられ、前記制限バネの一端には一端が前記円溝の中に位置している制限ブロックが設けられ、前記携帯電話ケースの前後左右の四つの端の中には外部空間に連通している位置制限溝が設けられ、前記位置制限溝の片側端壁には位置制限バネが設けられ、前記位置制限バネの一端には位置制限ブロックが設けられ、その作用は、前記押し出し機構によって前記移動柱を運動連動させることができることを特徴とする請求項１に記載のクリーニングできる携帯電話ケース。
【発明の詳細な説明】
【技術分野】
【０００１】
本発明は携帯電話ケース分野を取り上げて、具体的にはクリーニングできる携帯電話ケースである。
【背景技術】
【０００２】
今、携帯電話ケースが使用される時に直接にカバーで取り付けられることが多く、使用時間が長くなると携帯電話ケースの中に埃が溜まりやすく、あるいは汚い物が残されやすく、しかし現在の携帯電話ケースのほとんどが一体化であり、平にしにくく、これにより隙間の中の埃を払いにくく、清潔さに影響する。
【先行技術文献】
【特許文献】
【０００３】
【特許文献１】中国特許出願公開第１０７６１３０６８号明細書
【発明の概要】
【発明が解決しようとする課題】
【０００４】
本発明の目的はクリーニングできる携帯電話ケースを提供し、それは上記の現在の技術中の問題を解決できる。
【課題を解決するための手段】
【０００５】
上記の課題を解決するため、本発明は以下の技術プランを採用する：本発明のクリーニングできる携帯電話ケースは、携帯電話ケース及び前記携帯電話ケースの中に位置している二つの移動チャンバを含み、二つの前記移動チャンバが互いに垂直に貫通し、前記携帯電話ケースの周囲には四つの回転板が設けられ、前記回転板の中には下端壁と片側端壁とが外部空間に連通している回転溝が設けられ、前記回転溝の中には両端が前記回転溝の端壁と回転できるように連結された回転軸が設けられ、前記移動チャンバの中には二つの一端が前記回転溝の中に位置しており、かつ前記回転軸と回転できるように連結された移動板が設けられ、前記移動チャンバの中に位置している移動板には位置制限板が設けられ、横向きの前記移動板の一端には二つの前記移動チャンバに連通している収納溝が上下に対称的に設けられ、横向きの前記移動板の一端の中には前記移動チャンバに連通している移動溝も設けられ、左側の前記移動溝の上下端壁の中には前記移動溝に連通しているバネ溝が設けられ、前記バネ溝の片側端壁には圧縮バネが設けられ、前記圧縮バネの一端には一端が前記バネ溝の中に位置している台形ロッドが設けられ、前記バネ溝の中に位置している台形ロッドにはロープが設けられ、前記バネ溝の右端壁の中には前記収納溝に連通している平行移動溝が設けられ、前記平行移動溝の中には平行移動板が設けられ、前記平行移動板と前記平行移動溝の端壁との間には伸縮バネが設けられ、前記ロープの一端が前記平行移動溝の端壁を貫通しており、かつ前記平行移動板と連結され、前記移動チャンバの中に位置している縦向きの前記移動板には二つの収納ブロックが設けられ、二つの前記収納ブロックの一端がそれぞれ左右両側の前記収納溝の中に位置しており、前記収納ブロックの一端の中には左方に開口した伸縮溝が設けられ、前記収納溝の右端壁には連結バネが設けられ、前記連結バネの一端には台形ブロックが設けられ、右側の前記移動溝の右端壁には移動バネが設けられ、前記移動バネの左端には左端が左側の前記移動溝の中位置している移動柱が設けられ、右側の前記移動溝の上下端壁の中にはいずれも押し機構が設けられ、左側の前記移動溝の左端壁の中には押し出し機構が設けられ、前記押し出し機構は左側の前記移動溝の左側に位置しており、かつ下方に開口した方向切り替えチャンバを含み、前記方向切り替えチャンバの前後端壁の間には一つの回転軸が回転できるように連結され、前記回転軸には回転歯車が設けられ、前記回転歯車の上端には右端が前記移動溝の中に位置している押し出しロッドが噛合し連結され、前記押し出しロッドの左側には右端面が前記回転歯車と噛合し連結された昇降ロッドが設けられ、前記回転板の上端面には保護カバーが設けられ、その作用は、四つの前記移動板の間の互いの連結制限により、前記回転板に携帯電話の周囲を保護させることである。
【０００６】
優選の技術プランとして、前記押し機構は右側の横向きの前記移動板の左端に位置しており、かつ左方に開口したバネチャンバを含み、前記バネチャンバの右端壁には前記収納溝に連通している連結溝が設けられ、前記バネチャンバの中にはバネ板が設けられ、前記バネ板の右端には右端が前記連結溝の中に位置している電磁ロッドが設けられ、前記バネ板の右端には右端が前記バネチャンバの右端壁と連結された復帰バネが設けられ、前記連結溝の片側端壁の中には前記移動溝に連通している押し溝が設けられ、前記押し溝の中には一端が前記連結溝の中に位置しており、かつもう一端が前記移動溝の中に位置している電磁ブロックが設けられ、右側の前記移動溝の前後端壁の間には二つの押し軸が回転できるように連結され、前記押し軸には左端が前記電磁ブロックと噛合し連結された押し歯車が設けられ、前記電磁ブロックが、前記電磁ロッドと前記台形ブロックとしりぞけ合っており、前記電磁ロッドと前記台形ブロックとが互いに吸着しており、その作用は、前記移動柱が運動する時に押し歯車により右側の前記台形ブロックを右に運動連動させ、縦向きの前記移動板を移動させることに便利である。
【０００７】
優選の技術プランとして、前記押し出し機構は前記携帯電話ケースの中に位置しており、かつ下方に開口した円溝も含み、前記円溝の中には二つの円板が設けられ、二つの前記円板の間には台形柱によって連結され、前記台形柱の上端が左側の前記移動溝の中に位置しており、前記円溝の両側端壁の中には前記円溝に連通している制限溝が設けられ、前記制限溝の片側端壁には制限バネが設けられ、前記制限バネの一端には一端が前記円溝の中に位置している制限ブロックが設けられ、前記携帯電話ケースの前後左右の四つの端の中には外部空間に連通している位置制限溝が設けられ、前記位置制限溝の片側端壁には位置制限バネが設けられ、前記位置制限バネの一端には位置制限ブロックが設けられ、その作用は、前記押し出し機構によって前記移動柱を運動連動させることができる。
【発明の効果】
【０００８】
本発明は構造が簡単で、操作が便利であり、機械構造の係合により、携帯電話の周囲を囲んで携帯電話を保護することと同時に、携帯電話ケースを取り外すとき完全に平に展開させ、クリーニングするとき、携帯電話ケースのクリーニングしにくいところクリーニングすることに便利であり、クリーニング効果が更に良くなり、現在の携帯電話ケースと比べてみれば、携帯電話を囲む裏表面がよりクリーニングされやすい。
【図面の簡単な説明】
【０００９】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明のクリーニングできる携帯電話ケースの全体断面の正面構成略図
【図２】図２は本発明のクリーニングできる携帯電話ケースの全体断面の上面構成略図
【図３】図３は本発明のクリーニングできる携帯電話ケースの押し機構の全体断面の正面拡大構成略図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
図１〜３を参照し、本発明のクリーニングできる携帯電話ケースは、携帯電話ケース４及び前記携帯電話ケース４の中に位置している二つの移動チャンバ２を含み、二つの前記移動チャンバ２が互いに垂直に貫通し、前記携帯電話ケース４の周囲には四つの回転板３が設けられ、前記回転板３の中には下端壁と片側端壁とが外部空間に連通している回転溝６が設けられ、前記回転溝６の中には両端が前記回転溝６の端壁と回転できるように連結された回転軸９が設けられ、前記移動チャンバ２の中には二つの一端が前記回転溝６の中に位置しており、かつ前記回転軸９と回転できるように連結された移動板８が設けられ、前記移動チャンバ２の中に位置している移動板には位置制限板５が設けられ、横向きの前記移動板８の一端には二つの前記移動チャンバ２に連通している収納溝１８が上下に対称的に設けられ、横向きの前記移動板８の一端の中には前記移動チャンバ２に連通している移動溝１９も設けられ、左側の前記移動溝１９の上下端壁の中には前記移動溝１９に連通しているバネ溝１４が設けられ、前記バネ溝１４の片側端壁には圧縮バネ１５が設けられ、前記圧縮バネ１５の一端には一端が前記バネ溝１４の中に位置している台形ロッド１３が設けられ、前記バネ溝１４の中に位置している台形ロッド１３にはロープ１２が設けられ、前記バネ溝１４の右端壁の中には前記収納溝１８に連通している平行移動溝１６が設けられ、前記平行移動溝１６の中には平行移動板１７が設けられ、前記平行移動板１７と前記平行移動溝１６の端壁との間には伸縮バネ２４が設けられ、前記ロープ１２の一端が前記平行移動溝１６の端壁を貫通しており、かつ前記平行移動板１７と連結され、前記移動チャンバ２の中に位置している縦向きの前記移動板８には二つの収納ブロック２３が設けられ、二つの前記収納ブロック２３の一端がそれぞれ左右両側の前記収納溝１８の中に位置しており、前記収納ブロック２３の一端の中には左方に開口した伸縮溝４４が設けられ、前記収納溝４４の右端壁には連結バネ４３が設けられ、前記連結バネ４３の一端には台形ブロック４５が設けられ、右側の前記移動溝１９の右端壁には移動バネ２０が設けられ、前記移動バネ２０の左端には左端が左側の前記移動溝１９の中位置している移動柱２１が設けられ、右側の前記移動溝１９の上下端壁の中にはいずれも押し機構４７が設けられ、左側の前記移動溝１９の左端壁の中には押し出し機構４８が設けられ、前記押し出し機構４８は左側の前記移動溝１９の左側に位置しており、かつ下方に開口した方向切り替えチャンバ７を含み、前記方向切り替えチャンバ７の前後端壁の間には一つの回転軸３２が回転できるように連結され、前記回転軸３２には回転歯車３４が設けられ、前記回転歯車３４の上端には右端が前記移動溝１９の中に位置している押し出しロッド１１が噛合し連結され、前記押し出しロッド１１の左側には右端面が前記回転歯車３４と噛合し連結された昇降ロッド１０が設けられ、前記回転板３の上端面には保護カバー２５が設けられ、その作用は、四つの前記移動板８の間の互いの連結制限により、前記回転板３に携帯電話の周囲を保護させることである。
【００１３】
有益的には、前記押し機構４７は右側の横向きの前記移動板８の左端に位置しており、かつ左方に開口したバネチャンバ２２を含み、前記バネチャンバ２２の右端壁には前記収納溝１８に連通している連結溝４６が設けられ、前記バネチャンバ２２の中にはバネ板３７が設けられ、前記バネ板３７の右端には右端が前記連結溝４６の中に位置している電磁ロッド３６が設けられ、前記バネ板３７の右端には右端が前記バネチャンバ２２の右端壁と連結された復帰バネ３８が設けられ、前記連結溝４６の片側端壁の中には前記移動溝１９に連通している押し溝４２が設けられ、前記押し溝４２の中には一端が前記連結溝４６の中に位置しており、かつもう一端が前記移動溝１９の中に位置している電磁ブロック３９が設けられ、右側の前記移動溝１９の前後端壁の間には二つの押し軸４０が回転できるように連結され、前記押し軸４０には左端が前記電磁ブロック３９と噛合し連結された押し歯車４１が設けられ、前記電磁ブロック３９が、前記電磁ロッド３６と前記台形ブロック４５としりぞけ合っており、前記電磁ロッド３６と前記台形ブロック４５とが互いに吸着しており、その作用は、前記移動柱２１が運動する時に押し歯車４１により右側の前記台形ブロック４５を右に運動連動させ、縦向きの前記移動板８を移動させることに便利である。
【００１４】
有益的には、前記押し出し機構４８は前記携帯電話ケース４の中に位置しており、かつ下方に開口した円溝１も含み、前記円溝１の中には二つの円板３３が設けられ、二つの前記円板３３の間には台形柱３１によって連結され、前記台形柱３１の上端が左側の前記移動溝２の中に位置しており、前記円溝１の両側端壁の中には前記円溝１に連通している制限溝２９が設けられ、前記制限溝２９の片側端壁には制限バネ３５が設けられ、前記制限バネ３５の一端には一端が前記円溝１の中に位置している制限ブロック３０が設けられ、前記携帯電話ケース４の前後左右の四つの端の中には外部空間に連通している位置制限溝２６が設けられ、前記位置制限溝２６の片側端壁には位置制限バネ２７が設けられ、前記位置制限バネ２７の一端には位置制限ブロック２８が設けられ、その作用は、前記押し出し機構４８によって前記移動柱２１を運動連動させることができる。
【００１５】
以下、図１〜３及び上記説明したクリーニングできる携帯電話ケースの具体的な構成を参照し、本申請のクリーニングできる携帯電話ケースの使用方法を説明する：
【００１６】
二つの移動板８が当接するまで裏側に横向きの移動板８を押し、バネ板３７と電磁ロッド３６とが右に運動し、復帰バネ３８が圧縮され、昇降ロッド１０が右に運動し台形柱３１を下に運動連動させ、下側の円板３３を制限ブロック３０の下側に位置させ、また移動柱２１の駆動により、台形ロッド１３が前記移動柱２１から離れている方向に運動し、これによりロープ１２の作用によって平行移動板１７が左に運動し、伸縮バネ２４が圧縮され、その時に縦向きの移動板８を裏側に押して運動させ、これにより収納ブロック２３を収納溝１８の中に位置させ、左右両側の台形ブロックがそれぞれ平行移動溝１６と連結溝４６の中に位置しており、これにより四つの移動板８が互いに連結し制限し、携帯電話の保護を完成する。
【００１７】
取り外してクリーニングする時には、上に円板３３を押し、円板３３が上昇して台形柱３１を上昇連動させ、これにより昇降ロッド１０を上昇させ、回転歯車３４を回転連動させ、これにより押し出しロッド１１が移動柱２１を右に運動連動させ、これにより台形ロッド１３を復帰させることと同時に、押し歯車４１を回転連動させ、これにより電磁ブロック３９を完全に電磁ロッド３６と右側の台形ブロック４５との間に位置させ、これにより左右の台形ブロック４５をそれぞれ平行移動板１７と電磁ブロック３９の作用により伸縮溝４４の中に戻させ、縦向きの移動板８を引き、そして横向きの移動板８を引き、これにより携帯電話ケース４と回転板３を平にさせ、クリーニングに便利である。
【００１８】
本発明の有益効果は：本発明は構造が簡単で、操作が便利であり、機械構造の係合により、携帯電話の周囲を囲んで携帯電話を保護することと同時に、携帯電話ケースを取り外すとき完全に平に展開させ、クリーニングするとき、携帯電話ケースのクリーニングしにくいところクリーニングすることに便利であり、クリーニング効果が更に良くなり、現在の携帯電話ケースと比べてみれば、携帯電話を囲む裏表面がよりクリーニングされやすい。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020182204.tif 000003
【図２】
2020182204.tif 000004
【図３】
2020182204.tif 000005